(57)【要約】【課題】  主幹電路の電気使用量、および分岐電路毎の電気使用量の履歴をモニタ可能な電力監視システムを提供する。【解決手段】  統合管理盤１のエネルギマネージメントユニット２において、主幹電力量、分岐電力量の各演算結果はデータ記憶部２ｄに格納され、制御部２ｃは、端末装置ＰＣ，ＣＶ，ＰＴからの要求に応じて主幹電力量を表す画像データ、分岐電力量を表す画像データを生成して端末装置に提供するウェブサーバ機能を有し、端末装置ＰＣ，ＣＶ，ＰＴは、第１の期間に亘る主幹ブレーカＢｓの電力量の変動を表す第１の画像データを制御部２ｃから取得して表示した第１の画像の所定領域を選択することで、第１の期間内の第２の期間における分岐ブレーカＢｍｎ毎の電力量を表す第２の画像データの提供を要求する。【選択図】図１
2008089434.tif 000002
【特許請求の範囲】
【請求項１】
主幹ブレーカと、主幹ブレーカの二次側から分岐して電気機器に電力を供給する分岐電路に各々設けられた複数の分岐ブレーカと、主幹ブレーカを介して供給される電気使用量を計測する第１の計測手段と、各分岐ブレーカを介して供給される電気使用量を分岐ブレーカ毎に計測する第２の計測手段と、計測した各電気使用量を格納するデータ記憶手段と、要求信号を受信した場合に、データ記憶手段に格納した各電気使用量に基づいて、主幹ブレーカの電気使用量を表す画像データ、分岐ブレーカ毎の電気使用量を表す画像データを生成し、当該画像データを要求信号の送信元に送信する制御手段と、制御手段へ要求信号を送信し、且つ制御手段からの画像データを受信して画像を表示する端末装置とを備え、
端末装置は、第１の期間に亘る主幹ブレーカの電気使用量の変動を表す第１の画像データを制御手段から取得して表示した第１の画像の所定領域を選択することで、第１の期間内の第２の期間における分岐ブレーカ毎の電気使用量を表す第２の画像データの提供を要求する
ことを特徴とする電力監視システム。
【請求項２】
前記制御手段は、単位期間における分岐ブレーカ毎の電気使用量に基づいて、所定期間の分岐ブレーカ毎の電気使用量を予測し、さらに当該予測した所定期間の分岐ブレーカ毎の電気使用量を加算して、所定期間の主幹ブレーカの電気使用量を予測し、前記予測した各電気使用量に基づいて各電気使用量の予測値を表す画像データを生成し、前記端末装置は、各電気使用量の予測値を表す画像データを制御手段から取得して表示することを特徴とする請求項１記載の電力監視システム。
【請求項３】
前記制御手段は、現在月において所定の分岐ブレーカを介して電気使用量を所定値以上供給した最初の日である供給開始日から現在日までの所定の分岐ブレーカの電気使用量を、供給開始日から現在日までの日数で除して、所定の分岐ブレーカの１日の平均電気使用量を算出し、次に、当該平均電気使用量に現在月の残りの日数を乗じた結果を、供給開始日から現在日までの所定の分岐ブレーカの電気使用量に加算することで、現在月の所定の分岐ブレーカの電気使用量を予測することを特徴とする請求項２記載の電力監視システム。
【請求項４】
前記制御手段をインターネットに接続するインターネット接続手段と、インターネット上に設置されたセンター装置とを備え、センター装置は気象情報を格納し、前記制御手段は、センター装置から取得した気象情報に基づいて所定期間の分岐ブレーカ毎の電気使用量を予測することを特徴とする請求項２または３記載の電力監視システム。
【発明の詳細な説明】
【技術分野】
【０００１】
本発明は、電力監視システムに関するものである。
【背景技術】
【０００２】
従来、各家庭等で消費される商用電源の電力量は、電力供給会社から送付される請求書で確認したり、電力供給会社が作成したウェブコンテンツで確認できる。
【０００３】
一方、家庭の分電盤内で主幹電力量を計測し、その計測結果をウェブ画面上でモニタリングできるシステムがあり、さらにこのシステムでは、他の家庭の消費電力量と比較することもできる。（例えば、特許文献１参照）。
【特許文献１】特許第３５５１３０２号公報
【発明の開示】
【発明が解決しようとする課題】
【０００４】
通常、宅内では、分電盤内の分岐ブレーカを介して主幹電路を複数の分岐電路に分岐させて、各分岐電路には様々な電気機器が接続されている。例えば、１つの部屋内に設置した複数の電気機器（複数の照明器具）に１つの分岐電路を割り当てたり、最近では、１台の電気機器（空調機器（エアコン）、床暖房器具、ＩＨ機器等）に１つの分岐電路を割り当てている。
【０００５】
しかしながら、上記特許文献１のシステムでは、各家庭内の消費電力量を一括してモニタしており、上記分岐電路毎の消費電力量をモニタすることができなかった。したがって、ユーザは、無駄に電力を消費している電気機器や部屋を特定することができず、省エネルギー化のために停止、消灯等の具体的な操作を行うことが困難であった。
【０００６】
また、過去の消費電力量の履歴を確認する機能がないので、現在の消費電力量を過去の履歴と比較することができず、省エネルギー化を実践したことによる効果をユーザ自身が把握することができなかった。さらに、分岐電路毎の消費電力量も過去の履歴と比較することができなかったので、電気機器毎の消費電力量への影響度も把握することができなかった。
【０００７】
本発明は、上記事由に鑑みてなされたものであり、その目的は、主幹電路の電気使用量、および分岐電路毎の電気使用量の履歴をモニタ可能な電力監視システムを提供することにある。
【課題を解決するための手段】
【０００８】
請求項１の発明は、主幹ブレーカと、主幹ブレーカの二次側から分岐して電気機器に電力を供給する分岐電路に各々設けられた複数の分岐ブレーカと、主幹ブレーカを介して供給される電気使用量を計測する第１の計測手段と、各分岐ブレーカを介して供給される電気使用量を分岐ブレーカ毎に計測する第２の計測手段と、計測した各電気使用量を格納するデータ記憶手段と、要求信号を受信した場合に、データ記憶手段に格納した各電気使用量に基づいて、主幹ブレーカの電気使用量を表す画像データ、分岐ブレーカ毎の電気使用量を表す画像データを生成し、当該画像データを要求信号の送信元に送信する制御手段と、制御手段へ要求信号を送信し、且つ制御手段からの画像データを受信して画像を表示する端末装置とを備え、端末装置は、第１の期間に亘る主幹ブレーカの電気使用量の変動を表す第１の画像データを制御手段から取得して表示した第１の画像の所定領域を選択することで、第１の期間内の第２の期間における分岐ブレーカ毎の電気使用量を表す第２の画像データの提供を要求することを特徴とする。
【０００９】
この発明によれば、主幹電路の電気使用量だけでなく、宅内の分岐電路毎の電気使用量をモニタ可能であり、無駄に電力を消費している電気機器や部屋を特定して、省エネルギー化のために停止、消灯等の具体的な操作を行うことができる。また、各電気使用量の過去の履歴をモニタ可能であり、現在の電気使用量を過去の履歴と比較することで、省エネルギー化を実践したことによる効果をユーザ自身が把握することができ、さらには、分岐電路毎の電気使用量も過去の履歴と比較することが可能であり、電気機器毎の電気使用量への影響度も把握することができる。
【００１０】
請求項２の発明は、請求項１において、前記制御手段は、単位期間における分岐ブレーカ毎の電気使用量に基づいて、所定期間の分岐ブレーカ毎の電気使用量を予測し、さらに当該予測した所定期間の分岐ブレーカ毎の電気使用量を加算して、所定期間の主幹ブレーカの電気使用量を予測し、前記予測した各電気使用量に基づいて各電気使用量の予測値を表す画像データを生成し、前記端末装置は、各電気使用量の予測値を表す画像データを制御手段から取得して表示することを特徴とする。
【００１１】
この発明によれば、各分岐電路に接続された電気機器毎の特性を考慮して分岐電路毎の電気使用量を予測することで、全体の電気使用量の予測精度も向上する。
【００１２】
請求項３の発明は、請求項２において、前記制御手段は、現在月において所定の分岐ブレーカを介して電気使用量を所定値以上供給した最初の日である供給開始日から現在日までの所定の分岐ブレーカの電気使用量を、供給開始日から現在日までの日数で除して、所定の分岐ブレーカの１日の平均電気使用量を算出し、次に、当該平均電気使用量に現在月の残りの日数を乗じた結果を、供給開始日から現在日までの所定の分岐ブレーカの電気使用量に加算することで、現在月の所定の分岐ブレーカの電気使用量を予測することを特徴とする。
【００１３】
この発明によれば、エアコンや床暖房器具等のように季節によって電気使用量が大幅に変動する電気機器を月の途中から使用した場合でも、その月の分岐電路毎の電気使用量を精度よく予測することができ、全体の電気使用量の予測精度も向上する。
【００１４】
請求項４の発明は、請求項２または３において、前記制御手段をインターネットに接続するインターネット接続手段と、インターネット上に設置されたセンター装置とを備え、センター装置は気象情報を格納し、前記制御手段は、センター装置から取得した気象情報に基づいて所定期間の分岐ブレーカ毎の電気使用量を予測することを特徴とする。
【００１５】
この発明によれば、過去、現在の気象情報および気象予測情報に基づいて、分岐電路毎の電気使用量の変動パターンを予測すれば、より精度よく電気使用量を予測することができる。
【発明の効果】
【００１６】
以上説明したように、本発明では、主幹電路の電気使用量だけでなく、宅内の分岐電路毎の電気使用量をモニタ可能であり、無駄に電力を消費している電気機器や部屋を特定して、省エネルギー化のために停止、消灯等の具体的な操作を行うことができるという効果がある。また、各電気使用量の過去の履歴をモニタ可能であり、現在の電気使用量を過去の履歴と比較することで、省エネルギー化を実践したことによる効果をユーザ自身が把握することができ、さらには、分岐電路毎の電気使用量も過去の履歴と比較することが可能であり、電気機器毎の電気使用量への影響度も把握することができるという効果もある。
【発明を実施するための最良の形態】
【００１７】
以下、本発明の実施の形態を図面に基づいて説明する。
【００１８】
（実施形態）
本実施形態の電力監視システムは、図２に示すように、宅内に設置された統合管理盤１と、商用電源を供給する電路Ｌｐおよび情報伝送路Ｌｉ（エンハンスト・カテゴリ５若しくはカテゴリ６のＬＡＮケーブル）を介して統合管理盤１に接続されて、統合管理盤１が電力供給、制御並びに監視を行う照明器具、空調機器（エアコン）、床暖房器具、ＩＨ機器等の宅内に設置された複数の電気機器Ｘｍｎ（ｍ＝１，２，…、ｎ＝１，２，…）と、統合管理盤１にＬＡＮケーブルＬｉを介して接続される複数（図示例では、２つ）の端末装置（パーソナル・コンピュータＰＣ並びに表示制御装置ＣＶ等のウェブブラウザ機能を有する端末装置）とを備え、統合管理盤１と端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格に準拠したローカルエリアネットワーク（ＬＡＮ）であって、統合管理盤１内においてレイヤ２スイッチやレイヤ３スイッチに相当する後述の統合装置ＴＭに、ネットワーク端末に相当する端末装置（パーソナルコンピュータＰＣ並びに表示制御装置ＣＶ）などがスター配線で接続されている。また、統合装置ＴＭは、インターネットに接続するための回線の種類（電話回線、ＣＡＴＶ回線、光ファイバ回線など）に応じたインターネット接続機能を有しており、宅内ネットワークが外部ネットワークたるインターネットに接続される。なお、表示制御装置ＣＶとしては、ウェブブラウザ機能を有するネットテレビ等であればよい。
【００１９】
そして、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機、ＰＤＡ（Personal Digital Assistance）等からなるウェブブラウザ機能を有する携帯型の端末装置ＰＴとセンタ装置ＳＶとの間でインターネットを介したデータ通信を行うことにより、例えば、携帯端末ＰＴを使って外出先から宅内電気機器の制御や監視を行うことができる。センタ装置ＳＶは、ネットワーク機能を有する汎用のコンピュータ装置で構成されており、携帯端末ＰＴからインターネットを通じて送信される統合管理盤１宛のメッセージや統合管理盤１から宅内ネットワークに属さない端末装置に宛て送信されるメッセージを中継する機能を有している。但し、上述のようなインターネット接続機能を有する携帯端末ＰＴやセンタ装置ＳＶは従来周知であるから、詳細な構成についての図示並びに説明は省略する。
【００２０】
統合管理盤１は、図１に示すように、外部から住宅に供給される商用電源を一次側に受ける主幹ブレーカＢｓと、主幹ブレーカＢｓの二次側から分岐した電路に介挿された複数の分岐ブレーカＢｍｎと、エネルギマネージメントユニット２と、統合装置ＴＭと、電気機器コントローラＣ１とを備える。そして、分岐ブレーカＢｍｎを介して分岐された各電路Ｌｐｍｎは統合管理盤１外に導出されて、各電気機器Ｘｍｎに接続されて動作電源を供給している。
【００２１】
エネルギマネージメントユニット２は、主幹ブレーカＢｓを流れる主幹電流の値を定期的に計測する主幹電流検出部ＣＴｓと、主幹電流の計測値を電力量に変換することで主幹ブレーカＢｓを介して供給されている主幹電力量を演算する電力演算部２ａと、各分岐ブレーカＢｍｎを流れる分岐電流の値を分岐ブレーカ毎に定期的に検出する分岐電流検出部ＣＴｍｎと、電力演算部２ａで演算した主幹電力量、および各分岐電流検出部ＣＴｍｎで計測した分岐電流を入力されて、各分岐電流に基づいて各分岐ブレーカＢｍｎを介して供給されている分岐電力量を演算する演算部２ｂと、主幹電力量、分岐電力量の各演算結果を順次格納するデータ記憶部２ｄを具備して、主幹電力量を表す画像データ、および各分岐電力量を表す画像データを生成する制御部２ｃとを備える。なお、データ記憶部２ｄは現在から過去の少なくとも２年間のデータが格納可能な容量を有する。また、上記主幹電流検出部ＣＴｓと電力演算部２ａとで主幹電力量を計測する第１の計測手段を構成し、上記分岐電流検出部ＣＴｍｎと演算部２ｂとで分岐電力量を計測する第２の計測手段を構成している。
【００２２】
上記制御部２ｃは、電力量検知を行う分岐ブレーカＢｍｎのデータ（分岐ブレーカの名称：分岐１、分岐２、．．．等）を予め格納しており、主幹電力量および分岐電力量を表示するための画像データとしてウェブコンテンツ（ウェブページ）を作成し、端末装置からの要求に応じて当該ウェブコンテンツを端末装置に提供（配信）する機能（ウェブサーバ機能）を有しており、ＬＡＮケーブルを介して統合管理盤１内の統合装置ＴＭ、電気機器コントローラＣ１等が接続されている。
【００２３】
そして、宅内にはリビング、寝室、子供部屋等の複数の部屋Ｒｎ（ｎ＝１，２，…）が設けられており、図１，図２において宅内は３つの部屋Ｒ１，Ｒ２，Ｒ３を備えたものとして、部屋Ｒ１内に設けた電気機器をＸ１ｎ、部屋Ｒ２内に設けた電気機器をＸ２ｎ、部屋Ｒ３内に設けた電気機器をＸ３ｎと称する（ｎ＝１，２，…）。そして、統合管理盤１内の分岐ブレーカＢ１ｎ（ｎ＝１，２，…）は、図３に示すように、電路Ｌｐ１ｎ（ｎ＝１，２，…）を介して部屋Ｒ１内の各電気機器Ｘ１ｎに１：１の対応で個別に電力供給し、分岐ブレーカＢ３ｎ（ｎ＝１，２，…）は、電路Ｌｐ３ｎ（ｎ＝１，２，…）を介して部屋Ｒ３内の各電気機器Ｘ３ｎに１：１の対応で個別に電力供給しているのに対して、分岐ブレーカＢ２０は、電路Ｌｐ２０を介して部屋Ｒ２内の複数の電気機器Ｘ２ｎ（ｎ＝１，２，…）に１：ｎの対応で一括して電力供給している。すなわち、分岐ブレーカＢ１ｎ，Ｂ３ｎは、電気機器毎の電力供給を行い、分岐ブレーカＢ２０は、部屋毎の電力供給を行っている。
【００２４】
また、図１，図２において分岐ブレーカＢ１ｎ，Ｂ３ｎの各分岐電流を検出する分岐電流検出部をＣＴ１ｎ，ＣＴ３ｎ、分岐ブレーカＢ２０の分岐電流を検出する分岐電流検出部をＣＴ２０と称す。
【００２５】
図４は、主幹ブレーカＢｓ、分岐ブレーカＢｍｎ、分岐電流検出部ＣＴｍｎ周辺の詳細な構成を示し、主幹ブレーカＢｓ、及び主幹電路１１から分岐する分岐電路Ｌｐ（１２ａ，１２ｂ）に設けられる分岐ブレーカＢｍｎを備える統合管理盤１内に、各分岐電流を検出する複数のセンサＳｍｎと、各センサＳｍｎの検出出力に基づいて検出データを生成する複数のセンサユニットＡｍｎと、各センサユニットＡｍｎより分岐電流の検出データを収集し、収集した検出データを検出情報として出力する計測制御ユニットＫａと、計測制御ユニットＫａにセンサユニットＡｍｎを鎖状に接続する伝送路６とを備えるとともに、統合管理盤１の外部に露出して設けられて使用者に計測制御ユニットＫａから出力される検出情報の表示を行う表示ユニットＫｂを備えている。なお、センサＳｍｎ、センサユニットＡｍｎ、計測制御ユニットＫａで上記分岐電流検出部ＣＴｍｎを構成している。
【００２６】
そして、複数のセンサユニットＡｍｎは、伝送路６によって鎖状（数珠繋ぎ）に接続され、計測制御ユニットＫａは、始端のセンサユニットＡ１１にトリガ信号を出力するように構成され、各センサユニットＡｍｎは、トリガ信号を受信すると検出データを生成して計測制御ユニットＫａへ送信し、この後に末端側（次段）のセンサユニットにトリガ信号を出力するように構成されている。尚、分岐ブレーカＢ１ｎ〜Ｂ２ｎ〜Ｂ３ｎ、センサＳ１ｎ〜Ｓ２ｎ〜Ｓ３ｎには、この順番に通し番号（Ｎｏ１、Ｎｏ２、Ｎｏ３、．．．．．．）が付されている。
【００２７】
そして、主幹ブレーカＢｓの一次側には低圧配電線１００が接続され、主幹ブレーカＢｓの二次側端子には主幹電路１１が接続され、上記分岐電路Ｌｐｍｎは、主幹電路１１の電圧極１１ａ，１１ｂの一方に一端が接続された分岐電路１２ａと、主幹電路１１の中性極１１ｃに一端が接続された分岐路１２ｂとで構成される。
【００２８】
主幹ブレーカＢｓは、低圧配電線１００の電圧極１０１，１０２に接続される電源側端子（図示せず）及び中性極１０３に接続される電源側端子（図示せず）と、電圧極１０１，１０２に接続される電源側端子に各別に対応して電圧極となる２つの負荷側端子（図示せず）と、中性極１０３に接続される電源側端子に対応して中性極となる負荷側端子（図示せず）と、電源側端子と負荷側端子とが通電している際にはオン側に位置する操作ハンドルＨ１を備えている。そして主幹ブレーカＢｓは、電源側端子と負荷側端子との間に過電流が生じた際にはこれら端子間を遮断するとともに、操作ハンドルＨ１をオフ側に位置させるように構成されている。
【００２９】
分岐ブレーカＢｍｎは、分岐路１２ａ，１２ｂの他端側をそれぞれ接続可能な分岐路用端子部（図示せず）と、負荷側の電源線（図示せず）を電気的に接続するための電源線用端子部（図示せず）と、通常時はオン側に位置する操作ハンドルＨ２とを備えている。そして、分岐ブレーカＢｍｎは、分岐路用端子部と電源線用端子部との間に過電流が生じた際にこれら端子部間を遮断するとともに、操作ハンドルＨ２をオフ側に位置させるように構成されている。尚、主幹ブレーカＢｓ及び分岐ブレーカＢｍｎは、過電流だけではなく、短絡電流の発生に対しても回路を遮断するように構成してもよい。
【００３０】
一方、主幹電路１１及び分岐電路１２ａ，１２ｂは、いずれも導電性を有する金属板から形成されており、その幅、厚み等は、主幹ブレーカの最大定格電流に合わせた最大電流容量を有するように設定されている。
【００３１】
次に、センサＳｍｎと、センサユニットＡｍｎと、計測制御ユニットＫａと、表示ユニットＫｂと、伝送路６とについて説明する。ここで、センサＳｍｎと、センサユニットＡｍｎと、伝送路６とは、プリント基板７上に形成されて一体化されており、まずプリント基板７について説明する。
【００３２】
プリント基板７は、複数の絶縁板を積層してなる多層構造のもの（すなわち多層基板）であって、図５に示すように、プリント基板７を表裏に貫通する分岐路１２ｂ用の挿通孔７ａを複数備えている。また、プリント基板７には、プリント基板７を表裏に貫通するスルーホール７ｂが、各挿通孔７ａの周辺部に挿通孔７ａを囲繞するように複数形成されている。さらに、プリント基板７には、各挿通孔７ａの周辺部に表面から中層（表面と裏面との間の層）まで貫通するスルーホール７ｃが複数形成されている。そして、このプリント基板７の表面には、センサＳｍｎ及びセンサユニットＡｍｎが実装されるとともに、伝送路６が形成されている。尚、センサユニットＡｍｎは、ディスクリート半導体等の必要な電子部品を個々にプリント基板に実装することで構成してもよいし、必要な電子部品をＩＣ化（集積化）したものであってもよい。また尚、プリント基板７としては、上記のような多層基板に限らず、両面基板を用いてもよい。
【００３３】
センサＳｍｎは、各分岐ブレーカＢｍｎに対応する分岐路１２ｂの電流値、つまりは分岐ブレーカＢｍｎに流れる電流値を検出するための電流センサである。このようなセンサＳｍｎは、いずれも同様の構成を有するものであるから、センサＳ１１についてのみ詳細に説明する。
【００３４】
このセンサＳ１１は、図５に示すように、上記のプリント基板７に形成されたコイル線路２０からなるロゴスキコイルを有する電流センサであり、電流の微分形を検出出力として出力するものである。コイル線路２０は、プリント基板７の挿通孔７ａの周辺部のスルーホール７ｂを介してプリント基板７の表面に形成されたパターン２１ａ（図５に実線で示す）及びプリント基板７の裏面に形成されたパターン２１ｂ（図５に点線で示す）を接続してなるコイル部２１を有している。さらに、コイル部２１の末端は、スルーホール７ｃを介して戻し線路２２（図５に一点破線で示す）の一端側と接続されており、この戻し線路２２は、他端側がコイル部２１の末端側からコイル部２１内を通ってコイル部２１の始端側へ戻るようにプリント基板７の中層に形成されている。つまり、このセンサＳ１１では、コイル部２１の始端側と、戻し配線２２の他端側とが、それぞれ入力端子として用いられる。
【００３５】
次にセンサユニットＡｍｎは、センサＳｍｎの検出出力に基づいて検出データを生成するものであって、センサＳｍｎより取得した検出出力に基づいて電流値の実効値からなる検出データを生成し、動作開始用のトリガ信号を受信すると検出データを伝送用信号に変調して計測制御ユニットＫａへ送信する。さらに、検出データの送信後には、次のセンサユニットＡｍｎへトリガ信号を出力する。
【００３６】
計測制御ユニットＫａは、センサユニットＡｍｎが出力する伝送用信号を復調して検出データを取り出し、受信した検出データを順次演算部２ｂへ出力する機能と、センサユニットから検出データを収集するためのトリガ信号を始端のセンサユニットＡ１１へ出力する機能と、検出データに応じた表示用データを生成して表示ユニットＫｂへ出力する機能とを備える。
【００３７】
表示ユニットＫｂは、例えば各分岐ブレーカＢｍｎに対応した複数のＬＥＤを具備し、計測制御ユニットＫａから出力される表示用データに基づいて、分岐ブレーカＢｍｎの番号と、その分岐ブレーカＢｍｎに対応する電流値との表示をＬＥＤの消灯、点滅、点灯、あるいは色の変化等で行うようにされており、ＬＥＤを統合管理盤１外に露出させた状態で統合管理盤１内に設けている。
【００３８】
伝送路６は、図４に示すように、計測制御ユニットＫａにセンサユニットＡｍｎを、トリガ用伝送線６０とデータ用伝送線６１とグラウンド線６２との３線を用いて接続するものである。ここで、トリガ用伝送線６０は、計測制御ユニットＫａが出力するトリガ信号を始端のセンサユニットＡ１１に１対１で接続する接続線６０ａと、センサユニットから順次送信されるトリガ信号を末端側（次段）のセンサユニットに１対１で接続する送り用接続線６０ｂ〜６０ｐとからなり、計測制御ユニットＫａに、センサユニットＡｍｎを鎖状に接続するものである。
【００３９】
また、データ用伝送線６１は、計測制御ユニットＫａに各センサユニットＡｍｎが出力する検出データを接続するものであり、グラウンド線６２は、計測制御ユニットＫａ及び各センサユニットＡｍｎ等においてトリガ用伝送線６０及びデータ用伝送線６１の電圧基準として用いられるものである。尚、グラウンド線６２については図面の簡略化のためにセンサユニットＡｍｎとの接続部分の図示は省略している。
【００４０】
このように、センサＳｍｎとしてプリント基板７に形成したコイル線路２０を用いれば、主幹ブレーカＢｓや、分岐ブレーカＢｍｎ、主幹電路１１、分岐電路１２ａ，１２ｂ等によって利用できるスペースが狭くなっている統合管理盤１の筐体内でも、センサＳｍｎを効率的に配置できるという効果を奏する。また、センサＳｍｎが統合管理盤１の施工時に邪魔にならず、統合管理盤１の施工性を損なうことがないという効果を奏する。さらに、このようなセンサＳｍｎは、空芯のものであるから、鉄芯（磁気コア）がないため小型化、及び軽量化を図れるという効果を奏し、しかも鉄芯による飽和がないという利点があり、これによりダイナミックレンジが広く、大電流を検出できる電流センサを得ることが可能になるという効果を奏する。
【００４１】
また、図６はセンサＳｍｎの別の構造を示しており、プリント基板７に形成されたトロイダルコイル３１を備える。トロイダルコイル３１は、巻き進み方向の巻き進みコイル３２（以下、進みコイルという）と、巻き戻し方向の巻き戻しコイル３３（以下、戻しコイルという）とを有し、それらが同じプリント基板７上に二重形成され、直列に連続接続されている。これらの進みコイル３２、戻しコイル３３は、プリント基板７の表裏両面に挿通孔７ａから放射状に形成された放射状ライン３４と、この複数の放射状ライン３４間を接続する外周上に等ピッチ間隔で表裏面に設けられた接続部３５と、表裏の放射状ライン３４と接続部３５とを電気的に連続接続するスルーホール３６とにより形成される。これらの放射状ライン３４および接続部３５は、図６において、プリント基板７の表面側において濃い実線で示され、裏面側において白抜きの実線で示されている。
【００４２】
接続部３５は、表裏両面において、隣接する放射状ラインを避けるように引き回し形成される。また、接続部３５は、進みコイル３２、戻しコイル３３において、接続部３５の表面側コイルと裏面側コイルをスルーホール３６ａによる繋ぎ部で接続するとともに、この繋ぎ部は、繋ぎ部を挟んで両コイルの表面側と裏面側とが略等分の長さになるように配設されている。
【００４３】
スルーホール３６は、挿通孔７ａの中心７ｄを略中心とする挿通孔７ａに遠い側及び近い側の円周上にスルーホール３６ａ，３６ｂを等間隔に同数配設されるとともに、戻しコイル３３における表裏の放射状ライン３４及び接続部３５（３５ｂ）の各端部である境界部分には、表裏の放射状ライン３４および接続部３５（３５ｂ）間を接続するスルーホール３６ｃ，３６ｄが設けられている。この３６ｃ，３６ｄは、スルーホール３６ａ，３６ｂを結ぶ直線に対して対称に配設されている。また、最外周上に存在するスルーホール３６ａ（半径Ｒ１の円周上とする）と接続部３５を接続する円周上のスルーホール３６ｃ，３６ｄ（半径Ｒ２の円周上とする）は、外部磁界に対して影響を抑えるため、半径Ｒ１，Ｒ２の差はできるだけ小さいことが望ましく、この半径Ｒ１とＲ２の差は、プリント基板の製造上の制約（ライン幅、スルーランド径）から、具体的には１ｍｍ以下としている。
【００４４】
放射状ライン３４は、挿通孔７ａの中心７ｄを略中心として放射状に一定ピッチでプリント基板７上に配列されている。放射状ライン３４および接続部３５を構成する導体部は、プリント基板７に銅箔で形成され、この銅箔は、例えばガラス入りエポキシ樹脂からなる両面プリント基板をエッチング加工することにより形成することができる。
【００４５】
接続部３５は、放射状ライン３４の外周側の端部（ここでは、放射状ライン３４および接続部３５との境界部分となり、例えば、戻しコイル３３ではスルーホール３６ｃまたは３６ｄを指し、進みコイル３２においては、戻しコイル３３のスルーホール３６ｃまたは３６ｄに対応する進みコイル３２の放射状ライン３４上のラインとなる）から円周方向に延設され、複数の放射状ライン３４間を電気的に接続する。そして、スルーホール３６（３６ａ〜３６ｄ）を介して、プリント基板７の表裏両面に形成された複数の放射状ライン３４の端部および接続部３５と、反対側の面にある放射状ライン３４の端部および接続部３５とが電気的に直列に接続されることにより、プリント基板７を導体部で巻回するコイルが形成される。
【００４６】
進みコイル３２は、表側および裏側における放射状ライン３４および進みコイル３２の接続部３５ａを、接続部３５ａの中間位置に設けられたスルーホール３６ａを繋ぎ部として、スルーホール３６ａで電気的に接続することにより一巻きのコイルを形成する。同様に、戻しコイル３３は、表側および裏側における放射状ライン３４および戻しコイル３３の接続部３５ｂを互いにスルーホール３６（３６ａ，３６ｃ，３６ｄ）で電気的に接続することにより一巻きのコイルを形成する。そして、この進みコイル３２および戻しコイル３３の一巻きのコイルのピッチは、等しく形成されている。また、接続部３５は、隣接する放射状ライン３４を避けるように引き回して形成され、両コイル３２，３３の接続部３５と放射状ライン３４によるコイルパターンは、プリント基板７の表裏で同一形状として形成されている。以上の構成により、トロイダルコイル３１のコイルを形成する導体部（導体膜）は、プリント基板７の挿通孔７ａの中心７ｄの中心軸に関してほぼ対称に、かつ均一に形成される。また、このセンサＳｍｎを用いた電流測定では、挿通孔７ａに電流が流れる被測定導体が通され、この電流による磁界の磁束が両コイル３２，３３の断面領域を通ることにより発生する誘導電流を検出する。
【００４７】
図７は、統合管理盤１内における主幹ブレーカＢｓ、分岐ブレーカＢｍｎ、分岐電流検出部ＣＴｍｎ等の配置を示す一部分解斜視図であり、主幹ブレーカＢｓの横に電流センサブロックＳＢが配置され、電流センサブロックＳＢは、上記センサＳｍｎ、センサユニットＡｍｎ、伝送路６を形成したプリント基板７を、長尺状のブロック本体ＳＢ１の短手方向の両側に対向して取り付けて構成される。そして、複数の分岐ブレーカＢｍｎが、電流センサブロックＳＢの両側に長手方向に沿って並設されており、各分岐ブレーカＢｍｎは、その分岐路用端子部が各センサＳｍｎに対向するように配置されて、分岐ブレーカＢｍｎとセンサＳｍｎとの間の配線作業が容易に行えるようにしている。また、電流センサブロックＳＢの上方には、スペーサ４０を介して設けた矩形枠上のブラケット４１に表示ユニットＫｂを取り付けており、表示ユニットＫｂの各ＬＥＤが統合管理盤１外に露出して、各分岐電流の概略値を表示している。
【００４８】
次に図１における統合装置ＴＭは、ＬＡＮケーブルを介して、盤内の制御部２ｃや電気機器コントローラＣ１、盤外のパソコンＰＣ、表示制御装置ＣＶが接続されるとともに、インターネットを通じてセンタ装置ＳＶや携帯電話機ＭＰ、または他の端末装置に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００４９】
また、図１における電気機器コントローラＣ１は、統合装置ＴＭと日本電機工業会（JEMA）の統一規格に適合した電気機器Ｘｍｎとのインタフェース機能を有し、統合装置ＴＭを介して端末装置から制御要求のメッセージを受け取ったときに制御ケーブルＬｊを介して各電気機器Ｘｍｎを個別に制御して運転（照明器具の場合は点灯）と停止（照明器具の場合は消灯）を切り換え、統合装置ＴＭを介して端末装置から監視要求のメッセージを受け取ったときに制御ケーブルＬｊを介して各電気機器Ｘｍｎの動作状態（運転＜点灯＞又は停止＜消灯＞）を個別に取得するとともに、制御要求や監視要求に対する応答（各電気機器Ｘｍｎの動作状態）のメッセージを要求メッセージの送信元である端末装置に向けて統合装置ＴＭを介して送信させる機能（制御監視機能）を有する。また電気機器コントローラＣ１は、自己の配下にある電気機器Ｘｍｎの機器名称情報等を予め格納しており、電気機器Ｘｍｎの名称並びに動作状態を文字や記号で表示するためのウェブコンテンツ（ウェブページ）を作成し、端末装置からの要求に応じて当該ウェブコンテンツを端末装置に提供（配信）する機能（ウェブサーバ機能）も有している。
【００５０】
上記のように構成された電力監視システムでは、宅内のパソコンＰＣや表示制御装置ＣＶ、またはインターネットに接続された携帯端末ＰＴ等の端末装置からエネルギマネージメントユニット２に電力リアルモニタ要求のメッセージを送信し、エネルギマネージメントユニット２の制御部２ｃが統合装置ＴＭを介して電力リアルモニタ要求を受信すると、制御部２ｃで生成した電力リアルモニタ用画像データを、統合装置ＴＭを介して、電力リアルモニタ要求を送信してきた端末装置に向けて送信する。
【００５１】
電力リアルモニタ用画像データを受信したパソコンＰＣ、表示制御装置ＣＶ、携帯端末ＰＴ等の端末装置では、当該画像データが各端末装置のモニタ画面に表示され、主幹電力量および分岐ブレーカＢｍｎ毎の分岐電力量の現在値をモニタできる。図８は、端末装置で表示された分岐電力リアルモニタ用画像を示しており、分岐ブレーカＢｍｎ毎の分岐電力量の現在値を棒グラフＧ１で表している。なお、電力量のリアルモニタ画面は、電力量のグラフ表示以外に、日時表示や、メニュー画面に遷移するメニューボタンＢ１、前ページや後ページに遷移する前ページボタンＢ２および後ページボタンＢ３、過去の電力量のデータを表示する履歴ボタンＢ４等が設けられている。
【００５２】
このように、分岐ブレーカＢｍｎ毎に供給している電力量を監視できるので、無駄な電力消費をしている分岐電力系統を特定することができ、ユーザは、特定された分岐電力系統に接続している電気機器Ｘｍｎに対して、停止、消灯等の具体的な操作を行うことで、容易に省エネルギー化を図ることができる。
【００５３】
さらに、本実施形態では、パソコンＰＣ、表示制御装置ＣＶ、携帯端末ＰＴ等の端末装置を用いて、分岐ブレーカＢｍｎに対応する電気機器Ｘｍｎまたは部屋Ｒｎの名称を入力することができ、以下、この名称入力機能について説明する。
【００５４】
まず、端末装置において、図８に示す分岐電力量のリアルモニタ画面を表示させた状態で、名称入力を行う分岐ブレーカＢｍｎの表示領域Ｍ１を選択した後、機器名称（例えば、エアコン、床暖房、ＩＨ機器等）、または部屋名称（例えば、リビング、台所、浴室等）を入力する。
【００５５】
すると、選択した領域Ｍ１に対応する分岐ブレーカＢｍｎのデータ（分岐ブレーカの名称：分岐１、分岐２、．．．等）と、入力した機器名称または部屋名称とが、端末装置からエネルギマネージメントユニット２に送信され、統合装置ＴＭを介して上記データを受信した制御部２ｃは、各名称を分岐ブレーカＢｍｎに対応させて格納する。その後、制御部２ｃが画像データを生成する際には、各分岐ブレーカＢｍｎに対応する機器名称または部屋名称を参照して画像データを生成し、例えば、端末装置で表示される分岐電力リアルモニタ用画像は、図９に示すように、機器名称または部屋名称に対応させた分岐電力量の現在値を棒グラフＧ２で表す画像となる。したがって、表示された各分岐電力量が、どの電気機器での消費電力量なのか、またはどの部屋における消費電力量なのかが一目で認識できる。
【００５６】
次に、電力量の履歴表示について説明する。例えば、端末装置に表示した図８の画面中の履歴ボタンＢ４を選択することで、端末装置からエネルギマネージメントユニット２に年間履歴モニタ要求のメッセージを送信し、エネルギマネージメントユニット２の制御部２ｃが統合装置ＴＭを介して年間履歴モニタ要求を受信すると、制御部２ｃは、データ記憶部２ｄに格納した現在から過去の電力量のデータに基づいて、今年および去年の主幹電力量の１年間に亘る変動を表す年間履歴画像データ（第１の画像データ）を生成し、統合装置ＴＭを介して、年間履歴モニタ要求を送信してきた端末装置に向けて送信する。
【００５７】
年間履歴画像データを受信した端末装置では、当該画像データが各端末装置のモニタ画面に表示され、今年、去年の各主幹電力量の１年間に亘る変動をモニタできる。図１０（ａ）（ｂ）は、端末装置で表示された年間履歴画像を示しており、今年の主幹電力量の変動が線グラフＧ１１で表示され（今年の主幹電力量は、今日までのデータを表す）、去年の１年間の主幹電力量の変動が線グラフＧ１２で表示される。そして画面の上部には、今年の主幹電力量、去年の主幹電力量を数字で表示し、画面の下部には、メニュー画面に遷移するボタンＢ１１、昨日の主幹電力量を表示する要求のメッセージを送信するボタンＢ１２、年間履歴画像内の操作を行うボタンＢ１３，Ｂ１４の各領域が設けられている。
【００５８】
そして、ボタンＢ１３を選択する度に、今年および去年の月毎の主幹電力量を、今年１月の主幹電力量  →  去年１月の主幹電力量  →  今年２月の主幹電力量  →  去年２月の主幹電力量  →………去年１２月の主幹電力量  →  今年１月の主幹電力量  →………の順に棒グラフＧ１３で表示し、図１０（ａ）は今年８月の主幹電力量を棒グラフＧ１３ａで表示し、図１０（ｂ）では去年８月の主幹電力量を棒グラフＧ１３ｂで表示している。ボタンＢ１４を選択すると、今年および去年の月毎の主幹電力量が上記とは反対の順に棒グラフＧ１３で表示される。この各月の主幹電力量を表す棒グラフＧ１３も操作領域となっており、棒グラフＧ１３を選択すると、当該月における分岐ブレーカ毎の電力量を表す月別分岐電力画像データ（第２の画像データ）を要求する月別分岐電力要求のメッセージをエネルギマネージメントユニット２に送信する。
【００５９】
エネルギマネージメントユニット２の制御部２ｃが統合装置ＴＭを介して月別分岐電力要求を受信すると、制御部２ｃは、データ記憶部２ｄに格納したデータに基づいて、当該月の分岐ブレーカＢｍｎ毎の分岐電力量を表す月別分岐電力画像データ（第２の画像データ）を生成し、統合装置ＴＭを介して、月別分岐電力要求を送信してきた端末装置に向けて送信する。
【００６０】
月別分岐電力画像データを受信したパソコンＰＣ、表示制御装置ＣＶ、携帯端末ＰＴ等の端末装置では、当該画像データが各端末装置のモニタ画面に表示され、当該月の分岐ブレーカＢｍｎ毎の分岐電力量をモニタできる。図１１（ａ）は、今年８月の月別分岐電力画像を示しており、分岐ブレーカＢｍｎ毎に機器名称または部屋名称に対応させた分岐電力量の値を棒グラフＧ２１ａで表している。また、図１１（ｂ）は、去年８月の月別分岐電力画像を示しており、分岐ブレーカＢｍｎ毎に機器名称または部屋名称に対応させた分岐電力量の値を棒グラフＧ２１ｂで表している。
【００６１】
上記例では、第１の期間に亘る主幹ブレーカの電力量の変動を表す第１の画像データとして、今年および去年の主幹電力量の１年間に亘る変動を表す年間履歴画像データを例示し、第１の期間内の第２の期間における分岐ブレーカ毎の電力量を表す第２の画像データとして、年間履歴画像内で選択された１ヶ月における分岐ブレーカ毎の電力量を表す月別分岐電力画像データを例示しているが、第１の画像データとして、今月および先月の主幹電力量の１ヶ月に亘る変動を表す月間履歴画像データを用い、第２の画像データとして、月間履歴画像内で選択された１日における分岐ブレーカ毎の電力量を表す日別分岐電力画像データであってもよく、あるいは、第１の画像データとして、今日および昨日の主幹電力量の１日に亘る変動を表す日間履歴画像データを用い、第２の画像データとして、日間履歴画像内で選択された１時間における分岐ブレーカ毎の電力量を表す時間別分岐電力画像データを用いてもよい。また、第１の画像データとして、上記年間履歴画像データ、月間履歴画像データ、日間履歴画像データを選択可能に構成し、第２の画像データとして、上記月別分岐電力画像データ、日別分岐電力画像データ、時間別分岐電力画像データを用いてもよい。
【００６２】
このように、第１の画像である上記年間履歴画像、月間履歴画像、日間履歴画像において、最新の主幹電力量と過去の主幹電力量とを同一画面で表示して互いに比較できるので、省エネルギー化を実践したことによる効果をユーザ自身が把握することができる。さらには、第２の画像である上記月別分岐電力画像、日別分岐電力画像、時間別分岐電力画像において、分岐ブレーカＢｍｎ毎の過去の分岐電力量を確認できるので、電気機器毎の消費電力量への影響度も把握することができる。
【００６３】
次に、消費電力量の予測処理について説明する。エネルギマネージメントユニット２の制御部２ｃは、１ヶ月（月初めから月末まで）の消費電力量を月の途中で予測し、この予測画面を端末装置に提供することで、ユーザが端末装置のモニタ画面を見て、その月の消費電力量の予測値を確認できる。
【００６４】
具体的には、分岐ブレーカＢｍｎ毎の分岐電力量を予測し、予測した分岐電力量を加算することで全体の消費電力量を予測しており、さらに分岐電路毎に接続されている電気機器Ｘｍｎが、１年を通して消費電力量の変動幅が小さい電気機器である場合と、エアコンや床暖房器具等のように季節によって使用量が大幅に変動する電気機器である場合とでは予測方法が異なる。
【００６５】
まず、制御部２ｃは、前述のように電気機器Ｘｍｎの名称、部屋Ｒｎの名称を分岐ブレーカＢｍｎに対応させて格納しており、その名称に基づいて、１年を通して消費電力量の変動幅が小さい電気機器と、季節によって使用量が大幅に変動する電気機器いずれかに分類する。例えば、電気機器Ｘｍｎの名称が給湯器、ＩＨ機器等、または部屋Ｒｎの名称であれば、当該分岐ブレーカＢｍｎには１年を通して消費電力量の変動幅が小さい電気機器が接続されていると判断し、電気機器Ｘｍｎの名称がエアコン、床暖房器具等であれば、当該分岐ブレーカＢｍｎには季節によって使用量が大幅に変動する電気機器が接続されていると判断する。
【００６６】
そして、１年を通して消費電力量の変動幅が小さい電気機器が接続されている分岐ブレーカＢｍｎに対しては、今月（現在月）の月初めから今日（現在日）までの分岐電力量を、今月の月初めから今日までの日数で除して、１日当たりの平均電力量を算出し、この平均電力量に今月の全日数を乗じた値を、今月の分岐電力量の予測値とする。または、１日当たりの平均電力量に今月の残りの日数を乗じた値を、今月の月初めから今日までの分岐電力量に加算した値を、今月の分岐電力量の予測値としてもよい。
【００６７】
季節によって使用量が大幅に変動する電気機器が接続されている分岐ブレーカＢｍｎに対しては、今月の月初めから所定値以上の分岐電力量が発生した場合は、月初めから当該電気機器を使用したと判断して、上記同様に、今月の月初めから今日までの分岐電力量を、今月の月初めから今日までの日数で除して、１日当たりの平均電力量を算出し、この平均電力量に今月の全日数を乗じた値を、今月の分岐電力量の予測値とする。または、１日当たりの平均電力量に今月の残りの日数を乗じた値を、今月の月初めから今日までの分岐電力量に加算した値を、今月の分岐電力量の予測値としてもよい。一方、今月の途中から所定値以上の分岐電力量が発生した場合は、季節の変わり目などで今月の途中から当該電気機器を使用したと判断して、今月において当該分岐電路に電力を供給した最初の日である電力供給開始日から今日までの分岐電力量を、電力供給開始日から今日までの日数で除して、１日当たりの平均電力量を算出し、次に、この平均電力量に今月の残りの日数を乗じた値を、電力供給開始日から今日までの分岐電力量に加算した値を、今月の分岐電力量の予測値とする。
【００６８】
したがって、エアコンや床暖房器具等の電気機器を月の途中から使用した場合でも、その月の分岐電力量を精度よく予測することができ、上記のように予測した各分岐電力量を加算した全体の消費電力量も精度がよいものとなる。
【００６９】
また、上記予測方法は、分岐電路毎に１日当たりの平均電力量を算出することで今月の各分岐電力量を予測しているが、各分岐電力量の増加度、すなわち増加する傾きを考慮して予測してもよい。例えば、図１２のグラフＧ３１ａのように今月の途中で急激に分岐電力量が増加した場合、このグラフＧ３１ａの傾きを考慮して、この後の分岐電力量の変動傾向はグラフＧ３１ｂのように大きい傾きで増加していくと予側する。また、図１２のグラフＧ３２ａのように今月の途中で分岐電力量の増加度が鈍った場合、このグラフＧ３２ａの傾きを考慮して、この後の分岐電力量の変動傾向はグラフＧ３２ｂのようになだらかに小さい傾きで増加していくと予側する。したがって、電気機器毎の使用状況により即した予測を行うことができる。
【００７０】
また、センタ装置ＳＶに、過去の気温の推移データ、今日の気温データ、明日以降の気温の予測データ等の気象情報を格納しておき、エネルギマネージメントユニット２の制御部２ｃは、インターネットを介して取得した気象情報に基づいて、例えば、今月の気温の変化パターンと同様に気温が変化した過去の期間を検索し、その検索した過去の期間における分岐電力量のデータをデータ記憶部２ｄから読み出して、今月の各分岐電力量の変動パターンを予測すれば、より精度よく各分岐電力量を予測することができる。特に、季節によって使用期間が限定されるエアコンや床暖房器具等であれば、電力量が増加傾向にあるか、または減少傾向にあるかを予測することができる。また、明日以降の気温の予測データを用いれば、明日以降の気温が上昇して暑くなるまたは明日以降の気温が下降して寒くなるという予測であれば、エアコンまたは床暖房機器等の電力量の増減を予測することができる。例えば、今月の途中から気温が上昇あるいは低下して、エアコンまたは床暖房機器等の電力量の増加が予測される場合には、図１２のグラフＧ３１ｂのように大きい傾きで増加していくと予側し、今月の途中から気温が上昇あるいは低下して、エアコンまたは床暖房機器等の電力量の減少が予測される場合には、図１２のグラフＧ３２ｂのようになだらかに小さい傾きで増加していくと予側する。
【００７１】
このように、各分岐電路に接続された電気機器毎の使用期間、電力量の変動傾向等を考慮して各分岐電力量を予測することで、各分岐電力量を加算した全体の消費電力量の予測精度も向上する。一方、電力演算部２ａで演算した主幹電力量に基づいて全体の消費電力量予測した場合は電気機器毎の使用期間、電力量の変動傾向等が考慮されず、上記のように様々な要素を考慮して予測した各分岐電力量を加算することで算出された全体の消費電力量のほうが、予測精度の優れたものとなる。
【００７２】
そして、端末装置からエネルギマネージメントユニット２に電力予測要求のメッセージを送信し、エネルギマネージメントユニット２の制御部２ｃが統合装置ＴＭを介して電力予測要求を受信すると、制御部２ｃは、上記のように予測した今月の全体の消費電力量および各分岐電力量に基づいて、全体の消費電力量および各分岐電力量の予測値を表す予測電力量画像データを生成し、統合装置ＴＭを介して、電力予測要求を送信してきた端末装置に向けて送信する。予測電力量画像データを受信した端末装置では、当該画像データが各端末装置のモニタ画面に表示され、今月の全体の消費電力量および各分岐電力量の予測値をモニタできる。図１３は、端末装置で表示された分岐電力予測画像を示しており、分岐ブレーカＢｍｎ毎の今月の分岐電力量の予測値を棒グラフＧ３で表している。
【００７３】
図１３に示す分岐電力予測画像を表示させた状態で、各電気機器Ｘｍｎまたは部屋Ｒｎの各名称の表示領域Ｍ２を選択すると、端末装置からエネルギマネージメントユニット２に、当該表示領域Ｍ２に対応する電気機器Ｘｍｎまたは部屋Ｒｎの個別電力予測要求のメッセージを送信し、エネルギマネージメントユニット２の制御部２ｃが統合装置ＴＭを介して個別電力予測要求を受信すると、制御部２ｃは、上記のように予測した各分岐電力量に基づいて、個別の分岐電力量の予測値を表す個別予測電力量画像データを生成し、統合装置ＴＭを介して、個別電力予測要求を送信してきた端末装置に向けて送信する。個別予測電力量画像データを受信した端末装置では、当該画像データが各端末装置のモニタ画面に表示され、電気機器Ｘｍｎまたは部屋Ｒｎの個別分岐電力量の予測値をモニタできる。図１４は、端末装置で表示された個別分岐電力量画像を示しており、電気機器Ｘｍｎまたは部屋Ｒｎ（図１４ではエアコン）の今月の個別分岐電力量の今日までの変動が線グラフＧ４１ａ（実線）で表示され、今月の残りの日の予測電力量が線グラフＧ４１ｂ（破線）で表示される。
【００７４】
このように、消費される電力量の予測値をユーザに提示するので、ユーザに省エネルギーの意識を喚起して、省エネルギーの目標達成につながる。
【００７５】
なお、宅内ネットワークおよびインターネットを介してセキュリティ機器などの住宅設備の制御並びに監視を行う住宅設備監視制御システムに、本発明の電力監視システムを組み込めば、システムの統一を図ることができる。
【図面の簡単な説明】
【００７６】
【図１】実施形態の電力監視システムの各構成を示すブロック図である。
【図２】同上の構成を示すシステム図である。
【図３】同上の宅内における電気機器の配線図である。
【図４】同上の統合管理盤内における一部回路を示す構成図である。
【図５】同上のセンサを示す平面図である。
【図６】同上の別のセンサを示す平面図である。
【図７】同上の統合管理盤内を示す一部分解斜視図である。
【図８】同上の分岐ブレーカ毎の分岐電力リアルモニタ用画像を示す平面図である。
【図９】同上の電気機器名称毎の分岐電力リアルモニタ用画像を示す平面図である。
【図１０】（ａ）（ｂ）同上の年間履歴画像を示す平面図である。
【図１１】（ａ）（ｂ）同上の月別分岐電力画像を示す平面図である。
【図１２】同上の電力量の予測方法を示す図である。
【図１３】同上の分岐ブレーカ毎の分岐電力予測画像を示す平面図である。
【図１４】同上の個別の分岐電力予測画像を示す平面図である。
【符号の説明】
【００７７】
１  統合管理盤
２  エネルギマネージメントユニット
Ｂｓ  主幹ブレーカ
Ｂｍ  分岐ブレーカ
Ｃｔｓ  主幹電流検出部
ＣＴｍｎ  分岐電流検出部
２ａ  電力演算部
２ｂ  演算部
２ｃ  制御部
２ｄ  データ記憶部
ＴＭ  統合装置
ＰＣ，ＣＶ，ＰＴ  端末装置
Ｘｍｎ  電気機器
【図１】
2008089434.tif 000003
【図２】
2008089434.tif 000004
【図３】
2008089434.tif 000005
【図４】
2008089434.tif 000006
【図５】
2008089434.tif 000007
【図６】
2008089434.tif 000008
【図７】
2008089434.tif 000009
【図８】
2008089434.tif 000010
【図９】
2008089434.tif 000011
【図１０】
2008089434.tif 000012
【図１１】
2008089434.tif 000013
【図１２】
2008089434.tif 000014
【図１３】
2008089434.tif 000015
【図１４】
2008089434.tif 000016